(57)【要約】本発明は、0.5 mg/m3〜40 mg/m3の活性成分の有効用量について、0.05％〜5％の１種又はそれ以上の活性成分と発煙基材とからなる発煙組成物に関する。本発明によれば、上記発煙基材は少なくとも１種の酸化剤、少なくとも１種の還元剤及び少なくとも１種の無機充填剤とからなる。無機充填剤は上記発煙基材の少なくとも25重量％を構成し、一方、還元剤は最大で上記発煙基材の16重量％を構成し、上記酸化剤と還元剤の重量比は少なくとも3/1である。【特許請求の範囲】
【請求項１】
0.5 mg/m3〜40 mg/m3の活性成分の有効用量について、0.05％〜5％の１種又はそれ以上の活性成分と発煙基材とからなる発煙組成物であって、発煙基材が少なくとも１種の酸化剤、少なくとも１種の還元剤及び少なくとも１種の無機充填剤とからなり、無機充填剤は上記発煙基材の少なくとも25重量％を構成し、還元剤は最大で上記発煙基材の16重量％を構成し、上記酸化剤と還元剤の重量比は少なくとも3/1であることを特徴とする発煙組成物。
【請求項２】
前記発煙基材は２〜13重量％の還元剤と25〜65重量％の無機充填剤とを含有している、請求項１に記載の発煙組成物。
【請求項３】
無機充填剤は少なくとも１種の排気剤、少なくとも１種の触媒及び少なくとも１種の調節剤を含有している、請求項１又は２に記載の発煙組成物。
【請求項４】
前記発煙基材は、該基材の最終重量に対して、２〜14重量％、好ましくは８〜12重量％の前記排気剤、0.5〜10重量％、好ましくは3〜５重量％の前記触媒及び12〜60重量％、好ましくは23〜42重量％の前記調節剤を含有している、請求項３に記載の発煙組成物。
【請求項５】
排気剤化合物はシリカ、珪藻土、珪酸塩、酸化鉄、酸化アルミニウム、酸化マグネシウム及び酸化カルシウム、タルク、硫酸アルミニウム、硫酸マグネシウム、硫酸カルシウム、硫酸カリウム、硫酸ナトリウム及び硫酸バリウム及びこれらの化合物の混合物から選ばれる、請求項３又は４に記載の発煙組成物。
【請求項６】
シリカは沈降シリカ又は蒸発シリカである、請求項５に記載の発煙組成物。
【請求項７】
少なくとも１種の触媒化合物はアンモニウム塩を包含するハロゲン化無機塩、無機又は有機銅塩及び酸化チタンTiO2から選ばれる、請求項３〜６のいずれか一つに記載の発煙組成物。
【請求項８】
少なくとも１種の触媒化合物は塩化ナトリウム、沃化ナトリウム、塩化カリウム、沃化カリウム、塩化カルシウム、沃化カルシウム、塩化マグネシウム、沃化マグネシウム、塩化アンモニウム、沃化アンモニウム、塩化銅、沃化銅、酸化第二銅 Cu0及び酸化チタン
TiO2から選ばれる、請求項７に記載の発煙組成物。
【請求項９】
少なくとも１種の触媒化合物は調節剤化合物でもある、請求項３又は４に記載の発煙組成物。
【請求項１０】
少なくとも触媒でありかつ調節剤である化合物は、クレー、塩化マグネシウム６水和物、リン酸塩又はポリリン酸塩から選ばれ、これらは水和されていてもよく、また、水和されていなくてもよいものである、請求項９に記載の発煙組成物。
【請求項１１】
少なくとも触媒でありかつ調節剤である化合物は、カオリンを含めて、全ての形式のクレーである、請求項１０に記載の発煙組成物。
【請求項１２】
少なくとも１種の排気剤化合物は、調節剤化合物でもある、請求項３又は４に記載の発煙組成物。
【請求項１３】
少なくとも排気剤でありかつ調節剤である化合物は、無機水酸化物、炭酸塩及び炭酸水素塩から選ばれる、請求項１２に記載の発煙組成物。
【請求項１４】
少なくとも排気剤でありかつ調節剤である化合物は、水酸化マグネシウム、水酸化アルミニウム、炭酸ナトリウム、炭酸カリウム、炭酸カルシウム及び炭酸マグネシウムから選ばれ、これらは水により結晶化されていても、又、又は結晶化されていなくてもよいものである、請求項１３に記載の発煙組成物。
【請求項１５】
調節剤も、炭酸アンモニウム、炭酸水素アンモニウム、アンモニウムカルバメート及び
請求項１４に規定した以外の、水分子によって結晶化する無機塩から選ばれた化合物からなる、請求項３〜１４のいずれか一つに記載の発煙組成物。
【請求項１６】
還元剤は少なくとも１種の有機化合物からなる、請求項３〜１５のいずれか一つに記載の発煙組成物。
【請求項１７】
前記有機化合物は炭水化物及び誘導体、ポリオール、有機酸及び有機酸の塩(上記有機酸及び有機酸の塩は最大で９個の炭素原子を含有している)及び木炭、カーボンブラック又はグラファイトのごとき炭素誘導体から選ばれる、請求項１６に記載の発煙組成物。
【請求項１８】
前記有機化合物はデンプン、ソルビトール、グリセロール又はペンタエリスリトールである、請求項１７に記載の発煙組成物。
【請求項１９】
前記有機化合物は有機ヒドロキシカルボン酸及びその塩から選ばれ、該酸又は塩は７個までの炭素原子を含有している、請求項１７に記載の発煙組成物。
【請求項２０】
還元剤は尿素、ジシアンジアミド、メラミン及びシアナミド及びその塩、アゾジカルボンアミド、グアニジン及びその塩、ビグアナイド及びその塩、メチルカルバゼート及びエチルカルバゼートから選ばれた少なくとも１種の他の有機還元性化合物からなり、上記有機還元性化合物は発煙基材の重量に対して12重量％の最大割合で存在させる、請求項１９に記載の発煙組成物。
【請求項２１】
還元剤は少なくとも１種の無機還元性化合物からなる、請求項１〜２０のいずれか一つに記載の発煙組成物。
【請求項２２】
無機還元性化合物は硫黄及び硫黄酸化物から選ばれ、これらは無水物であるか又は無水物でなくともよい、請求項２１に記載の発煙組成物。
【請求項２３】
無機還元性化合物は無水又は非無水チオ硫酸ナトリウム Na2SO2O3である、請求項２２に記載の発煙組成物。
【請求項２４】
チオ硫酸ナトリウムは、発煙基材の重量に対して1〜６重量％の割合で存在させる、請求項２３に記載の発煙組成物。
【請求項２５】
酸化剤は硝酸塩、亜硝酸塩、塩素酸塩及び過塩素酸塩、沃素酸塩及び過沃素酸塩及び過酸化物の単独又は混合物から選ばれる、請求項１〜２４のいずれか一つに記載の発煙組成物。
【請求項２６】
酸化剤は30〜70重量％、好ましくは、40〜60重量％の割合で発煙基材中に存在させる、請求項１〜２５のいずれか一つに記載の発煙組成物。
【請求項２７】
酸化剤は、発煙基材の重量に対して40〜60重量％の割合の硝酸アンモニウムを含有している、請求項２５叉は２６に記載の発煙組成物。
【請求項２８】
酸化剤は、少なくとも２種の異なる硝酸塩を前記発煙基材の重量に基づいて30〜70重量％、好ましくは、40〜60重量％の割合で含有している、請求項２５〜２７のいずれか一つに記載の発煙組成物。
【請求項２９】
酸化剤は前記発煙基材の重量に基づいて４〜16重量％の硝酸カリウム、硝酸ナトリウム及び/又は硝酸カルシウムを含有している、請求項２８に記載の発煙組成物。
【請求項３０】
酸化剤は前記発煙基材の重量に基づいて１〜９重量％の硝酸銅、硝酸アルミニウム又は硝酸マグネシウムを含有している、請求項２８又は２９に記載の発煙組成物。
【請求項３１】
酸化剤は無機過酸化水素化物塩から選ばれた少なくとも１種の過酸化物を含有している、請求項２５〜３０のいずれか一つに記載の発煙組成物。
【請求項３２】
前記発煙基材は３〜15重量％のデンプンを含有している、請求項１〜３１のいずれか一つに記載の発煙組成物。
【請求項３３】
前記発煙基材は６〜12重量％のシリカを含有している、請求項１〜３２のいずれか一つに記載の発煙組成物。
【請求項３４】
前記発煙基材は２〜７重量％の塩素酸塩、過塩素酸塩、沃素酸塩又は過沃素酸塩を含有している、請求項１〜３３のいずれか一つに記載の発煙組成物。
【請求項３５】
前記発煙基材は２〜７重量％の亜硝酸塩を含有している、請求項１〜３４のいずれか一つに記載の発煙組成物。
【請求項３６】
前記発煙基材は35〜45重量％の硝酸アンモニウム、５〜12重量％の硝酸ナトリウム又は硝酸カリウム、６〜12重量％のデンプン、４〜９重量％の、最大で６個の炭素原子を含有しているヒドロキシカルボン酸又はその塩、７〜10重量％のシリカ及び残部のクレーを含有している、請求項１〜３５のいずれか一つに記載の発煙組成物。
【請求項３７】
前記発煙基材は、1種又はそれ以上のハロゲン化塩を、該基材の重量の１〜７重量％の割合で更に含有している、請求項18、19、20、23、32、33及び36のいずれか一つに記載の発煙組成物。
【請求項３８】
活性成分は殺菌剤、殺カビ剤又は殺虫剤成分から選ばれる、請求項１〜３７のいずれか一つに記載の発煙組成物。
【請求項３９】
活性成分の少なくとも１つは少なくとも１種の調節剤上に液体又はペーストの状態で吸収されている、請求項１〜３８のいずれか一つに記載の発煙組成物。
【発明の詳細な説明】
【技術分野】
【０００１】
本発明は発煙基材(smoke base)と、1種又はそれ以上の活性物質、一般的には、殺生物性(biocidal)及び/又は植物製剤性(phytopharmaceutical)活性物質とからなる発煙組成物
(smoke composition)に関する。
【０００２】
本明細書において、“殺生物性及び/又は植物製剤性活性物質”という表現は、有害であると考えられる生物又は微生物の存在を排除するために使用される、化学的に規定されたかつ製剤化されていない物質を意味する。
【０００３】
本明細書の以下の部分においては、“くん煙の活性成分”(“active ingredient of a 
smoke”)という表現は、煙中で使用される活性物質又は全ての活性物質を意味するのに使用されるであろう。同様に、“活性成分の濃度”という用語は、煙中に存在する、製剤からの活性物質の濃度の各々の合計を意味する。
【背景技術】
【０００４】
くん蒸(fumigation)は、実質的なかつ急激な温度の上昇と、その後のガスの発生とにより、１種又はそれ以上の活性成分を非常に微細な、一般的には、少なくとも顕微鏡的な大きさの固体及び/又は液状エアゾール又は気体の形で、空気中に効果的にかつ均一に分散させることを可能にする技術である。
【０００５】
エアゾール又はガスは小さな隅又は隙間に進入し、それによって、その著しい微細性と相まって、特に効果的な処理を可能にすることが経験的に示されている。
【０００６】
発煙組成物、即ち、発煙製剤は、急速にかつ高度に加熱する自動反応性基材(その温度は、恐らくは、数秒〜数分の間に数百度に到達し、同時に多量のガスが放出される)と、粉末、液体又はペーストの形の、場合により担体に含浸させた1種又はそれ以上の活性物質(この物質は温度の急激な上昇とガスの放出の両方の作用の下で、液状及び/又は固体エアゾールの形で微細に分散される)とからなる。
【０００７】
くん煙の適用分野は、一般的には、農業食品工業、家畜の飼育、種子又は収穫物の貯蔵及び輸送、温室又は納屋、病院、共有地又は私有地等における殺菌剤による殺菌及び処理の分野である。勿論、本発明の範囲は、明細書の記載は殺生物性及び/又は植物製剤的用途について与えられているが、上記した用途に限定されるものではない。
【０００８】
例えば、ヒト用医薬又は獣医用医薬における医薬作用を有する活性成分の吸入による拡散も想定し得る。
【０００９】
説明を継続する前に、特に、殺菌剤又は殺虫剤について集中して、煙の用途に関連する幾つかの概念を規定すべきである。
【００１０】
発煙処理、即ち、くん蒸は、活性成分−その量は処理すべき部屋の容積に関連し、そして、この部屋は予め隙間風が入らないようにしてある−の燃焼を開始することからなる。
【００１１】
放出された煙と密閉した部屋との接触時間を、十分な時間、通常、数時間、保持する。
【００１２】
“くん蒸時間”という用語は、くん煙が効果的に発煙する期間を表すのに使用され、
“接触時間”という用語は、処理されるべき部屋が効果的に放出されたくん煙と接触する時間を表すのに使用される。
【００１３】
“くん蒸”(“fumigation”)という用語は処理全体を意味する。
【００１４】
一般的には、殺菌剤/殺虫剤の有効性は、この予め規定された接触時間の終了時に、非処理対照と比較した場合の、表面上で撲滅された標的生物の割合によって、又は、くん煙の使用者の敷地でこれらの生物によって生じせしめられた損害の量の、定量的減少によって決定される。
【００１５】
“有効なくん煙”(“effective smoke”)という用語又は“良好なくん煙の有効性”
(“good effectiveness of smoke)という表現は、このくん煙により、基準、法律、行政処置によって、又は、会社又は当局の内部規定によって、又は、この分野での単なる経験によって予め定められた定量的要件に適合する撲滅標的生物の割合が達成される場合、又は、くん蒸の後に標的生物によって生じた損害の水準が使用者によって許容されると考えられる場合に使用される。
【００１６】
活性成分の有効用量(effective dose)は、有効な処理に必要な、処理されるべき場所の大気中に理論的に分散される活性成分の量である。この用量は、通常、mg/m3で表される。これは、実際には、くん煙中に当初、存在する活性成分の量を、処理されるべき容積で割ったものに相当する。現在では、活性成分の有効用量は、殺菌剤のくん煙については30〜160 mg/m3であり、殺虫剤のくん煙については6〜50 mg/m3である。
【００１７】
発煙組成物の有効用量は、上記した意味において有効な処理を提供する、立方メートル当りの発煙組成物のグラム数(mg/m3)で表される。例えば、殺虫性発煙組成物の有効用量の値は0.2〜２ mg/m3であり、殺菌性発煙組成物については0.3〜1.5 mg/m3である。
【００１８】
しかしながら、勿論、発煙組成物の有効用量は活性成分の濃度及び有効性、接触時間及び用途に依存する。
【００１９】
“地面残渣”(“ground residue”)という用語は、くん蒸後に地面上にある全ての化合物、即ち、くん煙分解生成物のみならず、くん煙の活性成分及び構成成分を意味する。
【００２０】
“放出物”(“emission”)という用語は、発煙基材によって大気中に放出される全ての化合物、即ち、全てのエアゾール及びガスを意味する。
【００２１】
高度に毒性のガスを発生するかつ専門家のチーム又は更には認可を必要とするチームのために製造されている、“くん蒸製品”(“fumigating product”)と呼ばれる製品とは異なり、くん煙は専門家でない人が取扱うことができ、特に、一般的には、処理自体は人を存在させることなしに行われる。
【００２２】
従って、良好な有効性の他に、下記の特性を有する発煙組成物を開発することが必要であろう：
−特に、点火に関して使用が容易であること；この点火は容易に行うことができるが、炎も爆発も発生しないものでなければならない；
−持続性であるか又は非持続性の臭いが少ないこと；
−地面残渣が少ないこと；
−残渣及び放出物が環境及び人に対して比較的、毒性が少なくかつ明らかに同定できるものであること；
−容器から熱い物質が放出されないこと；
−引火、更には爆発の危険性と、発煙製品自体の毒性とに関して、製造、輸送、貯蔵及び取扱いが安全であること。
【００２３】
現在、急激な加熱作用とガスの放出を生じる酸化還元(oxidoreductive)系(酸化剤は、通常、硝酸塩、塩素酸塩又は過塩素酸塩を基材とし、還元剤は窒素化合物又は炭素化合物を基材とする)と、点火の質に関係するか又は一定でかつ炎を伴なわない燃焼に関係するか又は取り扱いを容易にする賦形剤とからなる発煙基材について、一般的に妥協が達成されている。
【００２４】
しかしながら、これらの組成物は種々の欠点を有する。これらの組成物は、依然として、くん蒸中及びくん蒸後、余りにも強い臭いを有しておりかつこれらの組成物は、主として有機物からなる、かなりの量の地面残渣を生じる。この残渣はしばしば、有毒でかつ汚染されており、かつ、一般的組成を規定することが困難である。更に、これらの組成物は活性成分の効果を低減させる効果を有する。これらの発煙組成物の乾燥地面残渣の量は、一般的には、その当初の重量の５〜15％である。
【００２５】
かかる組成物は、例えば、下記の文書に記載されている。
【００２６】
文書JP-03-086804には、発煙基材が塩素酸カリウム、グルコース又はデンプンのごとき還元剤、チオ尿素誘導体(1-30％)及び、場合により、クレー及びタルクから選ばれた無機充填剤、燃焼調節剤としてのメラミン及びカルボキシメチルセルロースからなる、殺虫性又は殺カビ性発煙組成物が記載されている。
【００２７】
文書FR-A-2 096 873には、発煙組成物の全重量の42重量％程度の割合の硝酸アンモニウム、還元剤としての、28重量％の割合のジシアンジアミド、熱遮断剤として働くことがその機能である、0.5〜20重量％の無機充填剤及び５〜10％の殺カビ性又は殺菌性発煙組成物が記載されている。
【００２８】
文書FR-A-2 637 459によれば、発煙基材が硝酸アンモニウム(発煙基材の最終重量の少なくとも42重量％)、還元剤としてのジシアンジアミド(少なくとも28重量％)、シリカ
(約10％)及び液体又は固体の形の塩素化化合物からなる、殺虫性、殺菌性又は殺カビ性発煙組成物が知られている。
【００２９】
これらの公知の組成物によって発生される大量の残渣は、その重大な欠点を構成している。
【００３０】
これらの残渣は、本質的に、くん蒸中に還元剤及び活性成分が分解した結果生じたものであり、この残渣は、これらの組成物においては、しばしば、最終組成物の約1/3又はそれ以上を占める。この分解により、人又は環境に対してある種の毒性をもたらし得る残渣を生じることの他に、所要の水準の効果に到達するために、当初存在させる活性成分の量を増大させることが必要になる。
【発明の開示】
【発明が解決しようとする課題】
【００３１】
この問題を解決するために、本出願人は、前記した特性、即ち、有効性、取扱いの容易性及び低い噴出(projection)、点火及び爆発の危険性を有するが、還元剤及び活性成分の割合を低減させることを可能にし、しかも、活性成分の効果を増大させる発煙基材を探索した。
【課題を解決するための手段】
【００３２】
かくして、本出願人は、還元剤の割合が前記した組成物と比較して著しく減少しているかつ既知の組成物より非常に低い量の活性成分を含有する効果的な組成物を得ることを可能にする、そして、後に例示する特性を有する、非常に効果的な発煙基材を発見した。
【００３３】
従って、本発明の利点の一つは、１m3の空気を処理するのに使用される活性成分の当初の量が減少することである。このことは、同一の有効用量のくん煙について、くん煙中の活性成分の量が極めて大きく減少することを意味する。
【００３４】
勿論、くん煙中の活性成分の濃度を同一の割合で、例えば10％から５％に減少させるために、くん煙の有効用量を、例えば１ g/m3から2 g/m3に増大させることに問題はない。
【００３５】
予期しなかったことに、小割合の還元剤との正しいくん蒸反応(fumigation reaction)は、通常、化学的に殆ど非反応性である無機充填剤を大きな割合で添加することにより得られる。
【００３６】
全く予期しなかったことに、本出願人はこの基材を使用することにより、得られる組成物の効力に影響を与えることなしに、空気中の、従って組成物中の活性成分の割合を著しく減少させることができることを発見した。
【００３７】
本出願人は、実際的な理由で、0.1 g/m3〜3 g/m3の有効用量の殺菌性、殺カビ性及び殺虫性くん煙を使用するので、0.5 mg/m3〜40 mg/m3の空気中の活性成分の理論的用量を得るためには、本発明の主題であるくん煙組成物中の活性成分の濃度は、0.05％〜５％である。
【００３８】
前記したごとく、現在のくん煙における殺虫性活性成分についての有効用量の値は６〜50 mg/m3であり、殺菌剤くん煙については30〜160 mg/m3である。
【００３９】
勿論、異なる用量で使用されるくん煙については、くん煙中の活性成分の濃度の割合を補正することが必要であろう。
【００４０】
同様に、上記の用量は殺カビ、殺菌及び殺虫の用途にのみ、適用される。
【００４１】
他の用途については、上記用量が異なり得ることは明らかである。
【００４２】
従って、本発明の第１の主題は、0.5 mg/m3〜40 mg/m3の活性成分の有効用量について、0.05％〜5％の１種又はそれ以上の活性成分と発煙基材とからなる発煙組成物であって、発煙基材が少なくとも１種の酸化剤、少なくとも１種の還元剤及び少なくとも１種の無機充填剤とからなり、無機充填剤は上記発煙基材の少なくとも25重量％、有利には、25〜65重量％を構成し、還元剤は最大で上記発煙基材の16重量％、有利には、２〜13重量％を構成し、上記酸化剤と還元剤の重量比は少なくとも3/1であることを特徴とする発煙組成物である。
【００４３】
公知の組成物と比較して、還元剤の割合及び活性成分の割合は大きく減少しており、還元剤に対する酸化剤の比は大きく、その結果、くん蒸において非常に少ない残渣しか発生しない。
【００４４】
本発明によれば、無機充填剤は少なくとも一部は機能性であり、少なくとも１種の排気剤(aerating agent)、少なくとも１種の触媒及び/又は少なくとも１種の調節剤からなる。
【００４５】
本明細書の以下の記載においては、“化合物”(“compound”)という用語は単一製品について使用され、“剤”(“agent”)という用語はくん蒸において少なくとも一つの特定の機能を満足させる化合物又は化合物の混合物について使用される。
【００４６】
本発明の特徴と利点を詳述する前に、明細書本文及び特許請求の範囲で使用されるある種の用語を定義する。
【００４７】
排気剤(aerating agent；aerateur)はくん蒸中のガスの排出を促進する化合物又はその混合物である。
【００４８】
従って、排気剤は燃焼中に生じるガスの噴出中に、熱物質を容器から噴射させる過度の圧力(overpresure)の形成を防止する。
【００４９】
その結果、排気剤は活性成分の放出を促進する効果も有する。
【００５０】
本発明によれば、排気剤は小さい粒度と、真の密度と比較して低い見掛密度を有する粉末の形であり、その粒子の形状はガスの通過を促進する。
【００５１】
反対の例を示すと、クレーは、その粒子がラメラ構造であるため、良好な排気剤ではない。
【００５２】
燃焼調節剤(combustion-regulating agent)は、くん蒸が可能なかぎり均一であることを確実にせしめる、かつ、くん蒸が激し過ぎるものになるか又は弱過ぎるものになることを防止する化合物又はその混合物である。この調節は、酸化−還元のエネルギーの一部を排出させる蒸気が発生することにより行われる。
【００５３】
更に、これらの蒸気の目的は、搬送により活性成分の放出を促進しかつこの同一の活性成分を酸化性ガス(窒素酸化物及びN2O)ごとき該成分を分解することのできる反応性化合物から保護することである。
【００５４】
燃焼を触媒する薬剤は、反応の開始(triggering)及び維持を促進する化合物又はその混合物である。触媒は、特に、取扱いの際の危険性という点から適度に強力な点火系よってくん蒸を開始させかつ反応を自己保持性にせしめる。
【００５５】
本発明の発煙組成物は、通常、微生物、害虫又は他の望ましくない侵入生物を撲滅又は制御することを意図したエアゾール又はガスを放出又は開放する。この組成物は、少なくとも発煙基材と活性成分からなる化合物の組合せからなる；後者は殺菌剤、殺カビ剤、殺ウイルス剤、酵母破壊剤、殺虫剤及び殺ダニ剤から選ばれることが有利であり、かつ、熱及び酸化に対して良好な耐久性を有しており、かつ、容易に気化するものでなければならない。
【００５６】
活性成分は固体、液体又はペーストの形で発煙組成物に導入される。
【００５７】
例えば、C.E.B.殺虫試験プロトコールNo.135a及び空気殺菌試験標準NFT 72-281が考慮される。
【００５８】
本発明の基材については、予期しなかったことに、活性成分について、C.E.B.殺虫試験プロトコールNo.135aに従って、1.5 mg/m3の用量で効力が観察されるが、これに対して、慣用の基材及び同一の活性成分については、有効用量は９mg/m3である。
【００５９】
本発明の別の基材を使用した場合においても、予期しなかったことに、殺菌性発煙組成物は、カビ及びバクテリアの撲滅に関して、同一の活性成分を使用した場合、従来の100 mg/m3に対し、２ mg/m3の用量で活性成分を使用した場合に標準NFT 72-281の規定の範囲内で効果を示し得ることが観察された。
【００６０】
従って、本発明の発煙基材は、既知の発煙基材と比較してかつ同等の効力において、くん蒸後の２種の主要な残渣源である還元剤と活性成分の割合を低減させることが可能である。
【００６１】
単独で又は組合せて考慮した場合のかつ上記した利点を得ることを可能にする本発明の他の優先的な特徴は後記する。
【００６２】
即ち、前記基材は、該基材の最終重量に対して、２〜14重量％、好ましくは、８〜12重量％の前記排気剤及び0.5〜10重量％、好ましくは、３〜５重量％の前記触媒及び12〜60重量％、好ましくは、23〜42重量％の前記調節剤からなり得る。
【００６３】
ある種の化合物は種々の機能を達成し得る；これらは触媒であってかつ調節剤であるか又は排気剤であってかつ調節剤であり得る。この場合、かかる化合物の基材中の割合は触媒又は気化剤の割合、及び、必要な場合、調節剤の割合に到達し得る。
【００６４】
クレー及び塩化マグネシウム６水和物、リン酸塩及びポリリン酸塩は好ましい触媒兼調節剤である。
【００６５】
無機水酸化物、炭酸塩及び炭酸水素塩は排気剤兼調節剤である。
【００６６】
これらの内、水酸化アルミニウム、水酸化マグネシウム及び水酸化鉄、炭酸カルシウム、炭酸マグネシウム、炭酸ナトリウム及び炭酸カリウム(これらは水により結晶化されていてもよくまた結晶化されていなくてもよい)は好ましい排気剤兼調節剤である。
【００６７】
単一の排気剤は、沈降シリカ又は蒸発シリカのごときシリカ、珪藻土、タルク、珪酸塩、酸化鉄、酸化アルミニウム、酸化マグネシウム及び酸化カルシウム、硫酸アルミニウム、硫酸マグネシウム、硫酸カルシウム、硫酸カリウム、硫酸ナトリウム及び硫酸バリウム及びこれらの化合物の混合物から選ばれることが有利である。
【００６８】
単一の触媒化合物は、アンモニウム塩を包含するハロゲン化無機塩、無機又は有機銅塩及び/又は酸化チタンTiO2及びこれらの混合物から選ばれることが有利である。
【００６９】
これらの内、好ましい触媒化合物は、塩化ナトリウム、沃化ナトリウム、塩化カリウム、沃化カリウム、塩化カルシウム、沃化カルシウム、塩化マグネシウム、沃化マグネシウム、塩化アンモニウム、沃化アンモニウム、塩化銅、沃化銅、酸化第二銅 Cu0及び酸化チタンTiO2から選ばれる。
【００７０】
単一の調節剤は、炭酸アンモニウム、炭酸水素アンモニウム、アンモニウムカルバメート及び排気剤兼調節剤について規定した前記化合物以外の、水分子によって結晶化する無機塩から選ばれることが有利である。
【００７１】
還元剤は1種又はそれ以上の有機化合物からなり、これに1種又はそれ以上の無機化合物を添加し得る。
【００７２】
有機化合物は、炭素誘導体、特に、木炭、カーボンブラック、グラファイト又はパラフィンのごとき高度に炭素化された(carbonated)、簡単な式の化合物、デンプン及びセルロース及びその誘導体のごとき炭水化物、ペンタエリスルトール、ソルビトールのごときポリオール、グリセロール、ポリエチレングリコールのごときグリコール及び最大で９個の炭素原子、好ましくは最大で７個の炭素原子を含有する有機酸又は有機酸の塩から選ばれることが有利である。
【００７３】
“炭水化物”という用語は、モノ−及びポリヒドロキシアルデヒド、モノ−及びポリヒドロキシケトン、特に、モノ−及びポリサッカリド、モノ−及びポリヒドロキシ酸のごときその誘導体及びモノ−及びポリヒドロキシアミンを意味する。
【００７４】
例えば、有利な炭水化物は種々の糖、デンプン及びその誘導体及びセルロース及びその誘導体である。
【００７５】
本発明によれば、デンプンは有利な還元剤を構成する。
【００７６】
本発明によれば、他の有利な還元剤は酒石酸のごとき塩化された又は塩化されていない有機ヒドロキシ酸から選ばれる。
【００７７】
還元剤は、特に、尿素、ジシアンジアミド、メラミン及びシアナミド及びその塩、 アゾジカルボンアミド、グアニジン及びその塩、ビグアナイド及びその塩、メチルカルバゼート及びエチルカルバゼートから選ばれた少なくとも１種の他の有機化合物からも選ばれる。
【００７８】
これらの窒素化合物は発煙基材の12重量を越えることはできない。
【００７９】
還元剤は少なくとも1種の無機還元性化合物からもなり得る。この無機化合物は硫黄及び硫黄酸化物−これらは無水物であっても無水物でなくともよい−；好ましくは、無水又は非無水チオ硫酸ナトリウムNa2S2O3から選ばれることが有利である。この無機化合物は発煙基材の重量に基づいて１〜６重量％の割合で存在させることが有利である。
【００８０】
発煙基材の酸化剤は硝酸塩、亜硝酸塩、塩素酸塩及び過塩素酸塩、沃素酸塩及び過沃素酸塩及び過酸化物の単独又は混合物から選ばれることが有利である。前記発煙基材中のその好ましい割合は、30〜70重量％、好ましくは、40〜60重量％である。例えば、好ましい変法においては、酸化剤は、発煙基材の重量に対して40〜60重量％の割合の硝酸アンモニウムを含有している。
【００８１】
酸化剤は、少なくとも２種の異なる硝酸塩を、前記発煙基材の重量に基づいて30〜70重量％、好ましくは、40〜60重量％の割合で含有している。例えば、酸化剤は前記発煙基材の重量に基づいて４〜16重量％の硝酸カリウム、硝酸ナトリウム及び/又は硝酸カルシウムを含有している。
【００８２】
酸化剤は前記発煙基材の重量に基づいて１〜９重量％の硝酸銅、硝酸アルミニウム又は硝酸マグネシウムも含有し得る。酸化剤は無機過酸化水素化物塩から選ばれた少なくとも１種の過酸化物も含有し得る。
【００８３】
本発明の好ましい組成物は
−３〜15重量％のデンプン及び/又は
−６〜12重量％のシリカ及び/又は
−２〜７重量％の塩素酸塩又は過塩素酸塩又は沃素酸塩又は過沃素酸塩及び/又は
−２〜７重量％の硝酸塩
を含有する発煙基材を含有している。
【００８４】
更に、好ましくは、発煙基材は、35〜45重量％の硝酸アンモニウム、５〜12重量％の硝酸ナトリウム又は硝酸カリウム、６〜12重量％のデンプン、４〜９重量％の、最大で６個の炭素原子を含有しているヒドロキシカルボン酸又はその塩、７〜10重量％のシリカ及び残部のクレーを含有している。
【００８５】
かかる発煙基材は1種又はそれ以上のハロゲン化塩を、該基材の重量に対して1〜７重量％の割合で含有し得る。
【００８６】
本発明の別の主題は上記で定義したごとき発煙基材の少なくとも１種と活性成分とを含有する発煙性組成物である。
【００８７】
発煙性組成物の殺菌効果はANFOR標準、NFT 72-281の対象である下記の方法に従って測定し得る。
【００８８】
この方法においては、くん蒸を生起させる室内に、既知数の、同一のかつ同一菌株の微生物を含有する乾燥溶液又は接種物で被覆された供試微生物担持体(microbe-carrier)、即ち、明確な材料からなるプレートを設置する。
【００８９】
放出物に曝露させない同一の対照微生物担持体も前記室内に設置する。
【００９０】
くん煙放出物と所定の時間、接触させた後、供試微生物担持体及び対照微生物担持体中で生存した微生物の数を慣用の微生物学的方法で測定する。
【００９１】
ついで、効力は、供試微生物担持体に対する対照微生物担持体の微生物の数の比により与えられる。
【００９２】
組成物の殺菌効果を測定したとき、対照試料中に存在する生存バクテリアについて、
生存バクテリアの数が105の比によって分割される場合、製品はこの標準に従って殺菌性であると言われる。
【００９３】
組成物の殺ダニ効果を測定したとき、対照試料中に存在する生存カビについて、生存ダニ数が104の比によって分割される場合、製品はこの標準に従って殺カビ性であると言われる。
【００９４】
実施例１：本発明の殺菌性発煙組成物
NH4NO3                                  40％
KNO3                                    4％
Na2S2O3                                  1％
4’-ヒドロキシサリチルアニライド        0.5％
デンプン                                7％
尿素                                    2％
Ti02                                    1％
クレー                            全体が100％になる量(即ち、44.5％)
【００９５】
１g/m3の用量において、15時間の接触時間について、この発煙組成物はアスペルギルス ニゲル(Aspergillus niger)に対して、標準NFT 72281に従って、1.8 logの効力を有する。
【００９６】
実施例２：慣用の発煙組成物
NH4NO3                                  48％
ジシアンジアミド                        32％
沈降シリカ                              10％
4’-ヒドロキシサリチルアニライド          10％
100％
実施例３：実施例１に記載の本発明の発煙組成物と実施例２に記載の慣用の発煙組成物と          の比較
慣用の発煙組成物は実施例１に記載の発煙組成物と同等の殺菌効果を有するが、m3当りの用量が非常に大きい。更に、臭いが非常に多く、地面残渣の量が明らかに多い。
【００９７】
例えば、実施例１に記載の製剤の地面残渣は組成物の当初の重量の0.5〜２％であるのに対し、実施例２に記載の製剤の地面残渣は10〜15％である。
【００９８】
発煙組成物の殺菌効果又は殺カビ効果を測定した場合、実施例２の組成物は15時間の接触時間について、当初の粉末の１g/m3の効果を示した。
【００９９】
実施例４：ビフェントリン(bifenthrin)を含有するくん煙の殺菌効果
組成
予備混合物
Al(OH)3                    10.0％
ビフェントリン              1.5％
【０１００】
ビフェントリンを予め溶融させ、水酸化アルミニウムに吸収させた。ついで、この予備混合物を本発明の下記の発煙基材に添加した。
【０１０１】
NH4NO3                                  50.0％
沈降シリカ                             10.0％
クレー                                 19.5％
デンプン                                9.0％
100.0％
【０１０２】
この発煙組成物をC.E.B. プロトコールNo.135aに従って、0.1g/m3、従って、ビフェントリン1.5mg/m3の用量で試験した。
【０１０３】
供試生物種は下記の通りである：
ブラッテラ ゲルマニカ(Blattella germanica)
プロジア インテルプンクテラ(Plodia interpunctella)
トリボリウム コンフスム(Tribolium confusum)
リゾペルタ ドミニカ(Rhizopertha dominica)
ムスカ ドメスチカ(Musca domestica)
クテノセファリデス フェリス(Ctenocephalides felis)
【０１０４】
結果：４時間暴露した後には、いずれの害虫も生存していなかった。
【０１０５】
発煙煙組成物についての慣用の用量はビフェントリンについては９ mg/m3であり、本発明の発煙煙組成物についての1.5 mg/m3の用量より明らかIに大きい。
【０１０６】
更に、乾燥地面残渣は発煙煙組成物の当初の重量の約１％で評価することができ、ビフェントリンの他に、本質的に全く毒性を示さない硝酸アンモニウムからなる。
【０１０７】
この発煙煙組成物については、1000 m3、高さ４メートルの帯域を考慮した場合、壁及び天井の表面を考慮に入れない場合には、乾燥地面残渣は４ mg/m2程度であろう。  
従って、この量は極めて小さい量である。
【国際調査報告】
2006501126.tif 000002
2006501126.tif 000003
2006501126.tif 000004
2006501126.tif 000005
2006501126.tif 000006
2006501126.tif 000007